(57)【特許請求の範囲】
【請求項１】
少なくとも１つのプレゼンテーションエレメントを識別する少なくとも１つのプレゼンテーションエレメント識別子を含む可触及び可感の識別保持デバイスを用いてプレゼンテーションを制御するシステムであって、
前記少なくとも１つのプレゼンテーションエレメント識別子を感知するセンサと、
前記少なくとも１つのプレゼンテーションエレメント識別子によって識別された前記少なくとも１つのプレゼンテーションエレメントを含むプレゼンテーションが利用可能であるか否かを決定して、利用可能な場合は前記少なくとも１つのプレゼンテーションエレメント識別子によって識別された前記少なくとも１つのプレゼンテーションエレメントを選択し、利用可能でない場合は前記少なくとも１つのプレゼンテーションエレメント識別子によって識別された前記少なくとも１つのプレゼンテーションエレメントを含む前記プレゼンテーションをロードしてこのロードしたプレゼンテーションの中の前記識別されたプレゼンテーションエレメントを選択するコントローラと、
前記少なくとも１つの選択されたプレゼンテーションエレメントを表示するディスプレイと、
を含む、プレゼンテーション制御システム。
【請求項２】
識別保持デバイスを用いてプレゼンテーションを制御する方法であって、
少なくとも１つのプレゼンテーションエレメントを識別する少なくとも１つのプレゼンテーションエレメント識別子を含む可触及び可感の識別保持デバイスをセンサに提示するステップと、
前記少なくとも１つのプレゼンテーションエレメント識別子を感知するステップと、
前記少なくとも１つのプレゼンテーションエレメント識別子によって識別された前記少なくとも１つのプレゼンテーションエレメントを含むプレゼンテーションが利用可能であるか否かを決定するステップと、
利用可能な場合は前記少なくとも１つのプレゼンテーションエレメント識別子によって識別された前記少なくとも１つのプレゼンテーションエレメントを選択し、利用可能でない場合は前記少なくとも１つのプレゼンテーションエレメント識別子によって識別された前記少なくとも１つのプレゼンテーションエレメントを含む前記プレゼンテーションをロードしてこのロードしたプレゼンテーションの中の前記識別されたプレゼンテーションエレメントを選択するステップと、
前記少なくとも１つの選択されたプレゼンテーションエレメントを表示するステップと、
を含む、プレゼンテーション制御方法。
【請求項３】
プレゼンテーションを制御するのに使用可能な識別保持デバイスを生成するシステムであって、少なくとも１つのプレゼンテーションエレメントを少なくとも１つのプレゼンテーションエレメント識別子に関連づけるコントローラと、前記少なくとも１つのプレゼンテーションエレメントを識別する前記少なくとも１つのプレゼンテーションエレメント識別子を、可触及び可感の識別保持デバイスに提供するジェネレータと、を含む、識別保持デバイス生成システム。
【請求項４】
請求項３において、前記コントローラは、複数のプレゼンテーションエレメントから構成されるプレゼンテーションを解析し、このプレゼンテーションに含まれる少なくとも１つのプレゼンテーションエレメントを少なくとも１つのプレゼンテーションエレメント識別子に関連づけることを特徴とする識別保持デバイス生成システム。
【請求項５】
請求項３において、前記ジェネレータは、前記少なくとも１つのプレゼンテーションエレメントを識別する前記少なくとも１つのプレゼンテーションエレメント識別子と、このプレゼンテーションエレメント識別子に対応したプレゼンテーションエレメントを表す画像またはテキストとを、可触及び可感の識別保持デバイスに提供することを特徴とする識別保持デバイス生成システム。
【請求項６】
請求項１において、前記コントローラは、前記少なくとも１つのプレゼンテーションエレメント識別子によって識別された前記少なくとも１つのプレゼンテーションエレメントを選択すると共に、この選択されたプレゼンテーションエレメントを表示するために用いる少なくとも１つのプレゼンテーションアプリケーションを選択することを特徴とする、プレゼンテーション制御システム。
【発明の詳細な説明】
【０００１】
【発明の属する技術分野】
本発明は、プレゼンテーションのプレゼンテーションエレメントの生成及び表示に関する。具体的に、本発明は物理的オブジェクトを用いてプレゼンテーションシステムを制御するシステム及び方法に関する。
【０００２】
【従来の技術】
あり余るほどのソフトウェアが、ワードプロセッシング、データ管理及びプレゼンテーションオーサリングなどのタスクを達成することができる。特に、プレゼンテーションオーサリングソフトウェアによってユーザはデータを入力することができ、データは次に「スライド」に変えられる。次に、これらのスライドはプレゼンテーションの際にプレゼンテーションシステムを用いて観客に電子的に表示される。
【０００３】
具体的に、これらのプレゼンテーションシステムによりユーザは、グラフィカルユーザインターフェース又はキーボード制御を介して、プレゼンテーション内の前のスライド、次のスライド又は別のスライドにナビゲートしたり、スライドをとばして関連性がより高いプレゼンテーションのスライドを表示したりすることができる。
【０００４】
プレゼンテーションオーサリングソフトウェア及びプレゼンテーションシステムは連続的なプレゼンテーションに対しては良好に作動するが、ユーザがこの技術に対して十分に注意を向けることができない場合、この技術の使用が厄介になる可能性がある。具体的に、そして特に電子メディアを用いたプレゼンテーションの場合、プレゼンテーションの最中に多数の問題が「ハイテク」会議設備において生じることがしばしばある。一般に、これらの問題は、ユーザがプレゼンテーションシステムのグラフィカルユーザインターフェースと対話するのが困難なために生じる。これらの問題により観客は待たされ、プレゼンターは観客がじっと見守る中でプレゼンテーションシステムを操作しようと苦心する。このような問題は、プレゼンターがプレゼンテーションシステムをランしているコンピュータのファイルシステム内を探索して所望のプレゼンテーションスライドを探し出すこと、プレゼンターがプレゼンテーションシステムの制御部、例えばマウス、キーボード又は赤外線ポインタを作動させようと苦心すること、プレゼンターが次のスライド又は前のスライドにナビゲートしたり、関連性のないスライドをとばしたり、プレゼンテーションが終わって「バックステージビュー」、即ちプレゼンテーションシステムのグラフィカルユーザインターフェースが観客にさらされるプレゼンテーションの終わりの気まずい段階に対処しなければならないことを含みうる。
【０００５】
これらの問題は、プレゼンターがプレゼンテーションシステムの操作につまずいていることを観客がわかっている、という事実によって一層ひどくなる。更に、プレゼンテーションシステムに精通していないプレゼンターはしばしば観客によって取り乱し、これによりプレゼンテーションシステムに対して注ぐことのできる注意力が低下してしまう。これは、複雑な機能及び／又はナビゲーション制御部を含むプレゼンテーションシステムによって更にひどくなる。具体的に、ある典型的なプレゼンテーションシステムは、そのプレゼンテーションモードにおいて、グラフィカルユーザインターフェースを介してアクセスされる２９個の機能を含むポップアップ／スライドアウトメニューを含む。これらの２９個の機能は、プレゼンテーションを制御するためにプレゼンターが使用する５つの別個のウィンドウに分かれて編成されている。
【０００６】
従って、プレゼンターの環境により合っており、特に電子メディアを扱う際にユーザの注意力の大部分をプレゼンテーションシステムの制御以外のタスクに注ぐことができるプレゼンテーションシステムの制御システム及び方法が必要である。観客に示すスライドの選択はＯＨＰシートを取り出すのと同じくらい簡潔であるべきだが、同時に、電子プレゼンテーション及びマルチメディアシステムによって提供される動的な内容にも対処できるように十分に柔軟性があり、機能的及び動的であるべきである。
【０００７】
【発明が解決しようとする課題】
本発明は、電子プレゼンテーションの内容のビューを整理し、制御するための可触物理的媒体を提供するプレゼンテーション制御システム及び方法を提供する。
【０００８】
【課題を解決するための手段】
具体的には、可触及び可感の識別保持デバイスがプレゼンテーション制御システムのセンサに提示される。プレゼンテーション制御システムは前記可触及び可感の識別保持デバイスの識別をプレゼンテーションエレメントに関連づけ、次にこのエレメントはディスプレイに提示される。
【０００９】
本発明は、ユーザが電子メディアを提示するのを助けるシステム及び方法を別個に提供する。
【００１０】
本発明は、ユーザが可触の識別保持デバイスを介してプレゼンテーションシステムと対話することができるシステム及び方法を別個に提供する。
【００１１】
本発明は、ユーザがプレゼンテーションエレメントを表すニーモニック（mnemonics)を含む可触の識別保持デバイスを生じることができるシステム及び方法を別個に提供する。
【００１２】
本発明は、ユーザがプレゼンテーションとプレゼンテーション内の各プレゼンテーションエレメントに関連するニーモニックとを生成することができるシステム及び方法を更に提供する。
【００１３】
本発明のプレゼンテーション制御システム及び方法は、例えばプレゼンテーションの際に使用が容易でより優れたサポートを提供する機構をユーザに提供する。
【００１４】
本発明のプレゼンテーション制御システム及び方法は、プレゼンテーションの内容を表す識別子を含むか又はこれを備えたノートカードのような物理的オブジェクトを使用する。例えばプレゼンテーションスライドなど、そのオブジェクトによって表される内容を明確に示すニーモニックが物理的オブジェクトに添付される。ユーザは、これらのニーモニックと共に、ディスプレイ内容を示す追加のメモ(notes)又はグラフィックスを組み込むことができ、これらはプレゼンテーションを更に助ける。
【００１５】
物理的オブジェクトに組み込まれた、又はこれに添付されたニーモニックは読み取り可能識別デバイスによって認識される。このデバイスにより、本発明のプレゼンテーション制御システム及び方法は物理的オブジェクトに関連するユーザの動作を解釈することができる。例えば、プレゼンターはプレゼンテーションのための資料を表すニーモニックを含む１セットのカードをテーブル又は講演台の上にばらまくことができる。次に、プレゼンターは１枚のカードを選択し、これをプレゼンテーション制御システムのセンサデバイスに呈示し、そしてこのカードに関連するプレゼンテーションエレメントを観客に表示することができる。
【００１６】
本発明のプレゼンテーション制御システム及び方法は、プレゼンターにかかる過重な認知的負担を、十分に利用されない領域、例えばプレゼンターの感覚の周辺領域へと移すことでプレゼンターの感じる負担を軽くする。本発明のプレゼンテーション制御システム及び方法により、ユーザは、特定のユーザインターフェースの操作に注意力を殆ど注がなくてもプレゼンテーションシステムを制御することができる。本発明のプレゼンテーション制御システム及び方法は、広範囲の人間の知覚に携わり、現行のプレゼンテーションシステム及びインターフェースにおいてみられるものよりも低意図的な対話を可能にする。本発明のプレゼンテーション制御システム及び方法は、直接的な物理的動作がグラフィカルユーザインターフェースとの対話よりも効率的で信頼できることに基づく。例えば、コンピュータのスピーカーのノブを用いて音の大きさを調節することは、ディスプレイに表示された制御ウィンドウのスライダを見つけて調節することよりも容易に達成される。
【００１７】
本発明の請求項１の態様は、少なくとも１つのプレゼンテーションエレメントを識別する少なくとも１つのプレゼンテーションエレメント識別子を含む可触及び可感の識別保持デバイスを用いてプレゼンテーションを制御するシステムであって、前記少なくとも１つのプレゼンテーションエレメント識別子を感知するセンサと、前記少なくとも１つのプレゼンテーションエレメント識別子によって識別された前記少なくとも１つのプレゼンテーションエレメントを含むプレゼンテーションが利用可能であるか否かを決定して、利用可能な場合は前記少なくとも１つのプレゼンテーションエレメント識別子によって識別された前記少なくとも１つのプレゼンテーションエレメントを選択し、利用可能でない場合は前記少なくとも１つのプレゼンテーションエレメント識別子によって識別された前記少なくとも１つのプレゼンテーションエレメントを含む前記プレゼンテーションをロードしてこのロードしたプレゼンテーションの中の前記識別されたプレゼンテーションエレメントを選択するコントローラと、前記少なくとも１つの選択されたプレゼンテーションエレメントを表示するディスプレイと、を含む。
【００１８】
本発明の請求項２の態様は、識別保持デバイスを用いてプレゼンテーションを制御する方法であって、少なくとも１つのプレゼンテーションエレメントを識別する少なくとも１つのプレゼンテーションエレメント識別子を含む可触及び可感の識別保持デバイスをセンサに提示するステップと、前記少なくとも１つのプレゼンテーションエレメント識別子を感知するステップと、前記少なくとも１つのプレゼンテーションエレメント識別子によって識別された前記少なくとも１つのプレゼンテーションエレメントを含むプレゼンテーションが利用可能であるか否かを決定するステップと、利用可能な場合は前記少なくとも１つのプレゼンテーションエレメント識別子によって識別された前記少なくとも１つのプレゼンテーションエレメントを選択し、利用可能でない場合は前記少なくとも１つのプレゼンテーションエレメント識別子によって識別された前記少なくとも１つのプレゼンテーションエレメントを含む前記プレゼンテーションをロードしてこのロードしたプレゼンテーションの中の前記識別されたプレゼンテーションエレメントを選択するステップと、前記少なくとも１つの選択されたプレゼンテーションエレメントを表示するステップと、を含む。
【００１９】
本発明の請求項３の態様は、プレゼンテーションを制御するのに使用可能な識別保持デバイスを生成するシステムであって、少なくとも１つのプレゼンテーションエレメントを少なくとも１つのプレゼンテーションエレメント識別子に関連づけるコントローラと、前記少なくとも１つのプレゼンテーションエレメントを識別する前記少なくとも１つのプレゼンテーションエレメント識別子を、可触及び可感の識別保持デバイスに提供するジェネレータと、を含む。
【００２０】
本発明の請求項４の態様は、請求項３の態様において、請求項３において、前記コントローラは、複数のプレゼンテーションエレメントから構成されるプレゼンテーションを解析し、このプレゼンテーションに含まれる少なくとも１つのプレゼンテーションエレメントを少なくとも１つのプレゼンテーションエレメント識別子に関連づけることを特徴とする。
【００２１】
本発明の請求項５の態様は、請求項３の態様において、前記ジェネレータは、前記少なくとも１つのプレゼンテーションエレメントを識別する前記少なくとも１つのプレゼンテーションエレメント識別子と、このプレゼンテーションエレメント識別子に対応したプレゼンテーションエレメントを表す画像またはテキストとを、可触及び可感の識別保持デバイスに提供することを特徴とする。
【００２３】
本発明の請求項６の態様は、請求項１の態様において、前記コントローラは、前記少なくとも１つのプレゼンテーションエレメント識別子によって識別された前記少なくとも１つのプレゼンテーションエレメントを選択すると共に、この選択されたプレゼンテーションエレメントを表示するために用いる少なくとも１つのプレゼンテーションアプリケーションを選択することを特徴とする。
【００２４】
本発明のこれらの特徴及び利点、ならびに他の特徴及び利点は、下記の好適な実施の形態の詳細な説明において説明され、この説明から明らかになる。
【００２５】
【発明の実施の形態】
本発明の好適な実施の形態は、図面を参照して詳しく説明される。
【００２６】
本発明のプレゼンテーション制御システム及び方法の動作により、電子プレゼンテーションを実行するためのプレゼンターに必要な注意力が低減される。プレゼンターは、観客に対して行われるプレゼンテーションを補うスライドショーのようなプレゼンテーションエイド、即ちエレメントのセットを生成する。次に、プレゼンターは少なくとも１つの可触及び可感のオブジェクト、例えば可感コード又は他の識別エレメントを有するカードを、プレゼンテーションの少なくとも１つのプレゼンテーションエイドエレメントに関連づける。従って、プレゼンターはプレゼンテーションエレメントに対応する物理的オブジェクトを有する。スライドなどのプレゼンテーションエレメントを表示するために、プレゼンターは複数のカードのうちの１枚など１つのオブジェクトをプレゼンテーション制御システムのセンサに示す。これによってプレゼンテーションシステムは選択されたカードに対応するスライドを検索し、例えば観客にこのスライドを表示する。
【００２７】
具体的に、プレゼンテーションオーサリングソフトウェアは、例えばスライドショーのスライド、チャート、グラフ、地図、アニメーション、ビデオセグメント、マルチメディアクリップなど、プレゼンテーションのプレゼンテーションエレメントを生成するのに使用される。次に、本発明のプレゼンテーション制御システムによって、識別情報がプレゼンテーションの各プレゼンテーションエレメントに割り当てられる。この割り当てられた識別情報を用いて、ニーモニック及び識別エレメントをプレゼンテーション内の各プレゼンテーションエレメントに関連づける。そして、各ニーモニックは可触及び可感の識別保持デバイスに転送される、即ち物理的に関連づけられる。
【００２８】
プレゼンテーションのプレゼンテーションエレメントを提示するために、ユーザは複数の可触及び可感の識別保持デバイスのうちの１つを本発明のプレゼンテーション制御システムのセンサの可感領域に取り込む。可触及び可感の識別保持デバイスの感知に応答して、プレゼンテーション制御システムはプレゼンテーションシステムを制御し、識別情報によってこの可触及び可感の識別保持デバイスに関連づけられたプレゼンテーションエレメントを表示する。このようにして、プレゼンターの注意力をプレゼンテーションシステムの操作から観客ならびに可触及び可感の識別保持デバイスに向け直すことができる。これらの可触及び可感の識別保持デバイスはプレゼンテーションシステムの注意力を消費するグラフィカルユーザインターフェースに取って代わると共に、選択された可触及び可感の識別保持デバイスが含む識別子によって指定されるあらゆるプレゼンテーションエレメントに直ちにアクセスすることができる。
【００２９】
図１〜図３は、本発明のプレゼンテーション制御システムの１つの実施の形態を示している。具体的に、図１〜図３は、ユーザが図１においてプレゼンテーションを生成し、図２において可触及び可感の識別エレメントをプレゼンテーションに関連づけ、図３においてプレゼンテーション制御システムを使用してプレゼンテーションシステムを制御する際にプレゼンテーション制御システム１０００の構成要素が変わる態様を示している。
【００３０】
図１は、プレゼンテーションを生成する際のプレゼンテーション制御システム１０００の構成要素を示している。具体的に、プレゼンテーションシステム１０００は、メモリ１２００、識別コントローラ１３００、I/O（入出力）インターフェース１４００、データ入力デバイス１００、リンク１０１０及びコントローラ１１００を含む。図１に示されるように、プレゼンテーション制御システムは汎用コンピュータにおいて実施されるのが好ましい。メモリ１２００は、プレゼンテーションメモリ部分１２１０及びプレゼンテーションエレメント識別子メモリ部分１２７０を含む。
【００３１】
記憶されたプレゼンテーション１２１０及びプレゼンテーションエレメント識別メモリ部分１２７０はそれぞれ、例えば、第１のプレゼンテーションエレメント１２２０及び第１の関連プレゼンテーションエレメント識別子１２７２、第２のプレゼンテーションエレメント１２３０及び第２の関連プレゼンテーションエレメント識別子１２７４、第３のプレゼンテーションエレメント１２４０及び第３の関連プレゼンテーションエレメント識別子１２７６、第４のプレゼンテーションエレメント１２５０及び第４の関連プレゼンテーションエレメント識別子１２７８、ならびに第５のプレゼンテーションエレメント１２６０及び第５の関連プレゼンテーションエレメント識別子１２８０を含む。実際に使用する際、ユーザによって必要とされる数のプレゼンテーションエレメントがプレゼンテーション１２１０にあり、必要数の関連プレゼンテーションエレメント識別子がプレゼンテーションエレメント識別メモリ１２７０に存在することを理解すべきである。
【００３２】
ユーザはデータ入力デバイス１００を介してデータを入力する。このデータは、ユーザが例えばプレゼンテーションに組み込みたい情報に対応する。このデータは、データ入力デバイス１００からI/Oインターフェース１４００に転送される。入力データは、ユーザがプレゼンテーションの生成に有用であるとみなす資料は全て可能である。具体的に、データは、グラフィックス、チャート、マルチメディアクリップ、テキストのストリング（列、一続き）、アニメーションを用いたグラフィックス、スプライト、アプレット等の埋め込み可能なオブジェクト、又はあらゆる他の電子読み取り可能なプレゼンテーションエイドを含むことができるが、これらに限定されない。コントローラ１１００の制御下の入力データは、プレゼンテーションメモリ１２１０内の複数のプレゼンテーションエレメントのうちの１つに記憶される。集合的なプレゼンテーション１２１０は、プレゼンテーション内の個々のエレメントとして、例えば第１〜第５のプレゼンテーションエレメント１２２０〜１２６０として記憶される。識別コントローラ１３００はリンク１０１０を介して、プレゼンテーションエレメント識別子をプレゼンテーションエレメント１２２０〜１２６０の各々にマッピングする。従って、第１〜第５のプレゼンテーションエレメント識別子１２７２〜１２８０の各々はそれぞれ第１〜第５のプレゼンテーションエレメント１２２０〜１２６０の少なくとも１つに関連する。
【００３３】
プレゼンテーション１２１０、プレゼンテーションエレメント１２２０〜１２６０及び関連プレゼンテーションエレメント識別子１２７２〜１２８０が生成されて記憶されると、次にユーザはプレゼンテーション制御システム１０００を使用してプレゼンテーションエレメント１２２０〜１２６０を複数の可触及び可感の識別保持デバイスに関連づける。
【００３４】
図２は、可触及び可感の識別保持デバイスを準備するのに使用されるプレゼンテーション制御システム２０００の構成要素の１つの実施の形態を示している。プレゼンテーション制御システム２０００は、コントローラ２１００、メモリ２２００、識別コントローラ２３００、I/Oインターフェース２４００ならびに可触及び可感の識別保持デバイスジェネレータ２００を含む。メモリ２２００は、プレゼンテーション２２１０、第１〜第５のプレゼンテーションエレメント２２００〜２２６０及び第１〜第５のプレゼンテーションエレメント識別子２２７２〜２２８０を含む。
【００３５】
ユーザは、可触及び可感の識別保持デバイスに関連した様々なプレゼンテーションエレメントをユーザに示すニーモニックを選択する。ニーモニックは様々な方法で決定又は生成することができる。具体的に、ニーモニックはプレゼンテーション制御システムの生成物でありうる。この場合、プレゼンテーションエレメント２２００〜２２６０を用いたプレゼンテーション制御システム２０００は、個々のプレゼンテーションエレメントに対応する小さな（サムネイル)画像を生成する。そして、これらの小さな画像の各々は、対応するプレゼンテーションエレメントのニーモニックとして対応するプレゼンテーションエレメント識別子に関連づけられ、識別保持デバイスジェネレータ２００に送られる。各ニーモニックが対応するプレゼンテーションエレメント識別子にリンクされると、プレゼンテーション制御システム２０００はニーモニック及びプレゼンテーションエレメント識別子を識別保持デバイスジェネレータ２００に送る。識別保持デバイスジェネレータにより、ニーモニック及び関連プレゼンテーションエレメント識別子は共に１つの可触及び可感の識別保持デバイスに関連づけられる。
【００３６】
あるいは、特定のプレゼンテーションエレメントのニーモニックをユーザが選択することができる。この場合、ユーザは、少なくとも１つのプレゼンテーションエレメントをユーザに表すグラフィック又はクリッパート(clipart)画像などの１つの表現を選択する。ニーモニックがユーザによって選択され、プレゼンテーション制御システム２０００に入力されると、プレゼンテーション制御システム２０００は特定のプレゼンテーションエレメント（単数又は複数）を表すユーザが選択したニーモニックを対応するプレゼンテーションエレメント識別子に関連づける。前述のように、プレゼンテーション制御システム２０００は次にニーモニック及びプレゼンテーションエレメント識別子を識別保持デバイスジェネレータ２００に送る。ニーモニック及びプレゼンテーションエレメント識別子が識別保持デバイスジェネレータ２００によって受け取られると、識別保持デバイスジェネレータ２００はニーモニック及びプレゼンテーションエレメント識別子を共に１つの可触及び可感の識別保持デバイスに関連づける。
【００３７】
あるいは、１つ又はそれより多くの特定のプレゼンテーションエレメントに関連づけられるニーモニックの決定は、ユーザの入力データ及びプレゼンテーション制御システムの選択したデータを組み合わせたものであってもよい。例えば、プレゼンテーション制御システム２０００が特定のプレゼンテーションエレメントを表す小さな画像を生成する一方、ユーザはこの小さな画像に関連したテキストを追加することができる。この例では、小さな画像及びユーザの作成したテキストの双方が組み合わされてニーモニックを形成する。この際ユーザの作成したテキストが各プレゼンテーションエレメントに対応して予め入力されている場合は、プレゼンテーション制御システム２０００がこのテキストを認識し、ニーモニックに追加するようにしてもよい。
【００３８】
更に、これらのニーモニックは、例えばペン、鉛筆、又はスタンプなどによってユーザが追加した手書きのスピーチメモによって補われることが可能であり、このメモは識別保持デバイス上に直接書き留められるか、又は識別保持デバイスにホチキスで留められた文書のように識別保持デバイスに添付される。補足メモは、プレゼンテーションエレメント内に含まれる情報から得ることができる。あるいは、補足メモはプレゼンターが有用とみなすものであれば何でもよい。従って、識別保持デバイスはプレゼンテーションの内容を表す物理的なオブジェクトとして機能するだけでなく、プレゼンターのコメント、所見又は他の表記を補う私用のメモを含むことができるオブジェクトとしての機能を兼ねる。従って、プレゼンターは識別保持デバイスに対して注釈を「大急ぎで」容易に付けてプレゼンテーションを更に助けたり、例えばプレゼンテーションの際に述べられたコメントを記録したりすることができる。
【００３９】
図３は、プレゼンテーションの際に使用されるプレゼンテーション制御システム３０００の構成要素の１つの実施の形態を示している。プレゼンテーション制御システム３０００は、識別感知デバイス４００、プレゼンテーション表示デバイス３００、コントローラ３１００、メモリ３２００、識別コントローラ３３００、I/Oインターフェース３４００、プレゼンテーションコントローラ３５００、メモリ３２００に記憶されるプレゼンテーションエレメント１２２０〜１２６０及びプレゼンテーションエレメント識別子１２７２〜１２８０、ならびに１つ又はそれより多くの可触及び可感の識別保持デバイスを含む。
【００４０】
可触及び可感の識別保持デバイス４１０がプレゼンテーション制御システム２０００によって生成されると、ユーザはプレゼンテーション中に識別保持デバイス４１０を使用することができる。複数の可触及び可感の識別保持デバイス４１０のうちの１つに添付されるかあるいはこれに関連づけられたプレゼンテーションエレメントのニーモニックに基づいて、所望のプレゼンテーションエレメントのための特定の可触及び可感の識別保持デバイスがユーザによって識別される。この可触及び可感の識別保持デバイス４１０は、識別感知デバイス４００の可感領域内に少なくとも瞬間的に配置される。識別感知デバイス４００は、特定の可触及び可感の識別保持デバイス４１０に関連したプレゼンテーションエレメント識別子の情報を、I/Oインターフェース３４００及びリンク３０１０を介して出力する。識別コントローラ３３００は、プレゼンテーションエレメント識別メモリ３２７０に記憶されるプレゼンテーションエレメント識別子に基づいて、識別保持デバイス４１０から受け取ったプレゼンテーションエレメント識別子の情報を特定のプレゼンテーションエレメントに関連づける。次に、識別コントローラ３３００は選択されたプレゼンテーションエレメントを示す信号をプレゼンテーションコントローラ３５００に出力する。プレゼンテーションコントローラ３５００は、受け取った信号によって示される特定のプレゼンテーションエレメントを、リンク３０１０を介して検索する。選択されたプレゼンテーションエレメントを表す信号は次にリンク３０１０及びI/Oインターフェース３４００を介してプレゼンテーション表示デバイス３００に出力され、表示される。
【００４１】
前述のように、可触及び可感の識別保持デバイス４１０は、その可触及び可感の識別保持デバイス４１０に含まれるプレゼンテーションエレメント識別子に関連したプレゼンテーションエレメントに関するニーモニックを保持することができるあらゆるデバイスが可能である。
【００４２】
識別保持デバイスジェネレータ２００及び識別感知デバイス４００はそれぞれプリンタ及びスキャナーのように別個の構成要素とすることができ、識別保持デバイスジェネレータ２００及び識別感知デバイス４００は単一のデバイスに組み込んでもよいし又は単一デバイスの異なるアスペクト（態様）としてもよい。
【００４３】
具体的に、識別保持デバイスジェネレータ２００はニーモニック及びプリンタエレメント識別子を可触及び可感の識別保持デバイスに関連づけるだけでよい。可触及び可感の識別保持デバイス４１０は、識別感知デバイス４００によって読み取り可能であればよい。
【００４４】
識別保持デバイスジェネレータ２００及び識別感知デバイス４００は、下記の組み合わせのいずれでも可能であるが、これらに限定されない。例えば、プリンタ及びスキャナーをそれぞれ識別保持デバイスジェネレータ２００及び識別感知デバイス４００として使用することができる。この例示的な実施の形態では、プリンタはニーモニック及び関連プレゼンテーションエレメント識別子をプリント可能媒体、例えばカードストック、ノートのページ、用紙、ＯＨＰシートなどにプリントする。プレゼンテーションエレメント識別子がプリント媒体と共に提供されると、スキャナーはプリント媒体からプレゼンテーションエレメント識別子を読み取り、読み取られたプレゼンテーションエレメント識別子をI/Oインターフェース３４００を介してプレゼンテーション制御システム３０００に送る。
【００４５】
あるいは、識別保持デバイスジェネレータ２００及び識別感知デバイス４００はそれぞれバーコード書き込み装置及びバーコード読み取り装置であってもよい。バーコードが可触及び可感の識別エレメント識別子として使用されるこの例示的な実施の形態では、バーコード書き込み装置は、前述のプリント可能媒体のような可触及び可感の識別保持デバイスであるプリント可能媒体、ならびに接着テープ又はステッカーにバーコードを書き込む。次に、このデバイス又は媒体は読み取りのために識別感知デバイス４００の可感領域内に配置される。
【００４６】
可触及び可感の識別保持デバイスはプリント媒体に限定しなくてもよい。あるいは、可触及び可感の識別保持デバイスは、マイクロチップ又はその機械特性、電気特性又は磁気特性に基づいて情報を保持することのできる他のデバイスなどの物理的なデバイスでもよい。例えば、可触及び可感の識別保持デバイスは超音波送信機、識別感知デバイスは超音波受信機とすることができる。超音波を放出する識別保持デバイスを識別感知デバイスの可感領域内に配置すると、識別感知デバイスは可触及び可感の識別保持デバイスからプレゼンテーションエレメント識別子を読み取る。
【００４７】
あるいは、可触及び可感の識別保持デバイスは電界又は磁界の維持、伝達又は応答を行うことができる。そして、識別感知デバイスは電磁場を生成し、その中に可触及び可感の識別保持デバイスを配置することができる。可触及び可感の識別保持デバイスが識別感知デバイスの可感領域に配置されると、可触及び可感の識別保持デバイスは容量的、電磁的又は他の場合では電気機械的に識別感知デバイスジェネレータに結合され、情報を可触及び可感の識別保持デバイスから抽出し、特定のプレゼンテーションエレメント識別子に相関させることができる。
【００４８】
更に、識別保持デバイスジェネレータをチップバーナとし、識別感知デバイスをチップ読み取り装置とすることができる。この実施の形態では、識別保持デバイスジェネレータはプレゼンテーションエレメント識別子を可触及び可感の識別保持デバイス上にプログラムする。チップは、識別感知デバイスの可感領域に配置されると、プレゼンテーション制御システム３０００によって読み取られ、解釈されることができる。
【００４９】
更に、識別保持デバイスジェネレータは超小型マシン及び超小型電気機械システムを生成することができる。この実施の形態では、識別感知デバイスは超小型マシン及び超小型電気機械システムに含まれる情報を検索するインターフェースであることが可能である。
【００５０】
要約すると、識別保持デバイスジェネレータ２００及び識別感知デバイス４００はそれぞれ、少なくとも１つのプレゼンテーションエレメント識別子ならびに１つのニーモニックを可触及び可感の識別保持デバイス上に記録することができ、次に可触及び可感の識別保持デバイスがセンサによって読み取られてプレゼンテーションエレメント識別子を検索することができるあらゆるデバイス、又はデバイスの組み合わせが可能である。
【００５１】
プレゼンテーション表示デバイス３００は、オーバーヘッドプロジェクター、大きなスクリーンのテレビ、ビデオプロジェクター、又はスライドプロジェクターなど、電子メディア又はマルチメディアを観客に表示することができるあらゆるデバイスが可能である。
【００５２】
可触及び可感の識別保持デバイス４１０の１つの特定の例示的な実施の形態は、ニーモニックを形成する小さな画像と、プレゼンテーションエレメント識別子を形成する少なくとも１つのバーコードを含むカードであり、ここで小さな画像は特定のプレゼンテーションエレメントを表している。本発明のプレゼンテーション制御システム３０００は決してこの特定の例示的な実施の形態に限定されていないが、この例はその簡潔さのために選択されている。この例示的な実施の形態は、バーコードスキャナーを識別感知デバイス４００として、及びプリンタを識別保持デバイスジェネレータ２００として用いる。ユーザ及び／又はプレゼンテーション制御システムの指示に従って作動するプリンタは、プリントされたカード又はページ、即ち可触及び可感の識別保持デバイスを生成する。可触及び可感の識別保持デバイス４１０は、カード又はページにプリントされたプレゼンテーションエレメント識別子としての１つのバーコードを含む。少なくとも１つの特定のプレゼンテーションエレメントをニーモニックとして表す小さな画像もこのカードにプリントされる。図４〜図１８は、本発明の発明者が識別保持デバイス４１０として開発した例示的なプリントカードを示している。
【００５３】
具体的に、図４〜図１２は例示的な識別デバイス４１０の外観の態様を示している。図４は識別保持カード１４００の表面を表しており、これはニーモニック１４１０と、プレゼンテーションエレメント識別子を形成し、これを表すバーコード１４２０を含む。図５は、図４に示されるカードの裏面を示している。また、このカードの裏面は各プレゼンテーションエレメントに対応してユーザが入力したスピーチノートのテキストであるニーモニック１４３０と、バーコード１４２０のもう１つのコピーを含む。
【００５４】
図４及び図５に示されるように、プレゼンテーションエレメント識別子としてのバーコード１４２０は１つ又は複数のニーモニック１４１０又は１４３０に関連づけられ、これらは特定のプレゼンテーションエレメントにリンクされている。しかし、プレゼンテーションエレメント識別子は１つの特定のプレゼンテーション内の特定のプレゼンテーションエレメントにリンクされなくてもよいことを理解すべきである。反対に、プレゼンテーションエレメント識別子はあらゆるプレゼンテーションにおけるあらゆるプレゼンテーションエレメント又はプレゼンテーションエレメントのセットを識別する。例えば、プレゼンテーションエレメント識別子は、例えばハイパーリンク、ファイル名、ページ数、ユニフォームリソースロケータ（ＵＲＬ）、全文探索キーワード又は他の照会構文、情報検索を実行する命令文、データベースアドレス及び／又は少なくとも１つの特定のプレゼンテーションエレメントを含むプレゼンテーション制御システム内もしくはこのシステムの外の特定のメモリ位置への経路とすることができる。プレゼンテーションエレメント識別子は１つの特定のロードされたプレゼンテーション内の特定のプレゼンテーションエレメントの識別に決して限定されず、後続のディスプレイのために少なくとも１つのプレゼンテーションエレメントを含む少なくとも１つのメモリ位置への経路であってもよい。さらに、表示されるプレゼンテーションエレメントの種数に応じて、異なる複数のプレゼンテーションアプリケーションを自動的に切り換えて、プレゼンテーションエレメントを適切に表示するようにすることもできる。すなわち、プレゼンテーションエレメント識別子は、１つの特定のプレゼンテーションアプリケーションの識別に限定されない。プレゼンテーションエレメント識別子に対する唯一の要件は、プレゼンテーション制御システムがおそらく静的情報と共に所望のプレゼンテーションエレメントを識別できるのに十分な情報をプレゼンテーションエレメント識別子が含むことである。このような静的情報は、例えば、表示されるべき現在のプレゼンテーションエレメントの現在のプレゼンテーションでありうる。
【００５５】
図６〜図１２は、例示的なプリントカード又は用紙上のプレゼンテーションエレメント識別子及びニーモニックの構成の、他の様々な例示的な実施の形態を示している。これらの様々な形状は、カードの特定のデザインのうちのいくつかを示すように図示されている。
【００５６】
例えば図６では、プレゼンテーションエレメント識別子としてのバーコード１４５２、ならびにニーモニックとしての小さな画像１４５４及びテキスト１４５６がカード１４５０の同一面上に垂直方向に示されている。図７は特定のデザインを示しており、ここでプレゼンテーションエレメント識別子としてのバーコード１４６２及びニーモニックとしての小さな画像１４６４はカード１４６０の表面に示されている。第２のニーモニックとして機能しうる追加の情報であるもう１つのテキストのストリング１４６６が、図８においてカードの裏面に示されている。
【００５７】
図９及び図１０はそれぞれ、カード１４７０の表面及び裏面のデザインを示している。図９では、カード１４７０の表面は第１のニーモニックとして小さな画像１４７４を含む。図１０に示されるカード１４７０の裏面は、第２のニーモニックとしてのテキストのストリング１４７６と、プレゼンテーションエレメント識別子としてのバーコード１４７２とを含む。図１１及び図１２はカード１４８０の別のデザインを示しており、ここでニーモニックとしての小さな画像１４８４及びテキストのストリング１４８６がカード１４８０の一方の面に含まれ、プレゼンテーションエレメント識別子としてのバーコード１４８２がカード１４８０の裏面に配置されている。
【００５８】
可触及び可感の識別保持デバイスが、特定のプレゼンテーションエレメントに関連づけられる特定のプレゼンテーションエレメント識別子に関連して説明されたが、プレゼンテーションエレメント識別子は静的プレゼンテーションエレメントに限定されなくてもよい。あるいは、可触及び可感の識別保持デバイス４１０は、プレゼンテーションシステムによって行われ、及び／又は特定のプレゼンテーションエレメントに適用される機能を識別するプレゼンテーションエレメント識別子を含むことができる。
【００５９】
プレゼンテーションエレメントを識別すると共に、表示されるプレゼンテーションエレメントを識別するためにプレゼンテーション制御システムによって使用されるプレゼンテーションエレメント識別子に関して、機能的プレゼンテーションエレメント識別子は、プレゼンテーション制御システムがプレゼンテーションシステムに特定のプレゼンテーションエレメントを実行するように及び／又は特定のプレゼンテーションエレメントに適用するように指示する特定の機能を識別する。この場合、プレゼンテーションエレメントが識別される代わりに、プレゼンテーションのナビゲーション、又はプレゼンテーションシステムの特定の態様をオンもしくはオフにするなどの機能を達成することができる。
【００６０】
図１３は、例示による可触及び可感の機能的識別保持デバイス１５００を示している。具体的に、可触及び可感の機能的識別保持デバイス１５００は機能的プレゼンテーションエレメント識別子１５１０を含む。特定のプレゼンテーションエレメントにリンクされる代わりに、機能的プレゼンテーションエレメント識別子１５１０はプレゼンテーション制御システムに対する定義済みの動作を識別する。図１３では、プレゼンテーションエレメント識別子１５１０は音声をオフにする機能を識別する。プレゼンテーションエレメント識別子１５１０の感知に応答して、プレゼンテーション制御システムはプレゼンテーションシステムに音声をオフにするように指示する。図１４〜図１８は、プレゼンテーションプロセスを容易にするためにユーザが生成しうる、他の例示による可触及び可感の機能的識別カードを示している。
【００６１】
例えば、ユーザはプレゼンテーションを補うために１セットのカードを可触及び可感の識別保持デバイスとして準備する。これらのカードは、プレゼンテーションの際に観客に表示されるプレゼンテーションエレメント、例えばスライドに対応する。プレゼンテーションを始めるために、ユーザは第１の所望のプレゼンテーションエレメントに対応するカードを識別感知デバイス４００の可感領域に配置する。識別感知デバイス４００はそのカードに含まれるプレゼンテーションエレメント識別子を読み取り、続いてプレゼンテーション制御システムはプレゼンテーションシステムに、関連するプレゼンテーションエレメントを検索し、そのプレゼンテーションエレメントをプレゼンテーション表示デバイスに表示して観客に示すように指示をする。次に、ユーザは「機能カード」、例えば図１４に示されるような「次（NEXT)のカード」である可触及び可感の機能的識別カード１５２０を識別感知デバイス４００の可感領域に配置して、識別された次のプレゼンテーションエレメントにプレゼンテーションを進めることができる。
【００６２】
あるいは、ユーザはプレゼンテーションの特定のアスペクトに関して質問される場合がある。この特定の事柄をより詳しく説明するために、ユーザは、全く関連性のない別のプレゼンテーションからのプレゼンテーションエレメントを提示するカードを識別感知デバイス４００内に取り込むことができる。このプレゼンテーションエレメントは、プレゼンテーション制御システムに対して利用可能であれば、観客に表示することができる。従って、プレゼンテーション制御システムが表示できる又は行えることに関しては、追加のプレゼンテーションエレメント又は機能に対する利用可能性又は接続可能性によってのみ制限される。
【００６３】
図１３〜図１８では、複数のプレゼンテーションエレメント識別子を有する例示的な機能カードが示されている。具体的に、図１５に示される「止め（QUIT)」機能カードにより、プレゼンテーション制御システムはプレゼンテーション制御部に、表示されたプレゼンテーションスライドを全てスクリーンから取り除くように指示することができる。図１６に示される「音声追加（ADD SOUND)」機能カードにより、プレゼンテーション制御システムはプレゼンテーションコントローラに、現在選択されているか又は表示されているプレゼンテーションエレメント識別子によって識別される音声又は音声クリップをオンにするように指示することができる。図１７の「戻る（BACK)」機能カードにより、プレゼンテーション制御システムはプレゼンテーション制御部に、前のスライドを再び表示するように指示することができる。図１８の「併合（MERGE)」機能カードにより、プレゼンテーション制御システムはプレゼンテーション制御部に、複数のスライドを１つの複合スライドに併合するように指示することができる。この併合機能は、互いに全く関連性のない別のプレゼンテーションからのプレゼンテーションエレメントを、並べて表示することを可能とする。
【００６４】
図１３〜図１８では、識別感知デバイスによる読み取りを容易にするために、複数のプレゼンテーションエレメント識別子が例示的なカード上にプリントされている。プレゼンテーションエレメント識別子はどの箇所に配置されてもよく、さらに複数のニーモニック及び関連プレゼンテーションエレメント識別子が単一の可触及び可感の識別保持デバイスに配置されてもよいことを理解すべきである。最後に、プレゼンテーションエレメント識別子はバーコードの形をとらなくてもよい。従って、可触及び可感の識別保持デバイスを形成する１枚のカードの表面が１つのプレゼンテーションエレメント識別子及び１つのニーモニックを有し、その裏面が異なるプレゼンテーションエレメント識別子及び関連するニーモニックを有することができる。同様に、カードの一方の面の各端部に異なるプレゼンテーションエレメント識別子及びニーモニックを有することができる。前述のように、これらのプレゼンテーションエレメント識別子はデータグリフでさえも可能であり、又は人形(figurine)もしくは他の可触オブジェクトに埋め込まれたコンピュータ読み取り可能マイクロチップに記憶される電子データでもよい。
【００６５】
更に、識別保持デバイス４１０は１つの特定のプレゼンテーションエレメントに関する情報の保持に限定される必要はなく、プレゼンテーションエレメント識別子の保持のみならず、プレゼンテーションエレメントが１つのエレメントであるプレゼンテーションのマッピングデータの保持に拡張されることも可能である。従って、現在ロードされているプレゼンテーションに対応しないカードが取り込まれた場合、このカードは、例えば新たにプレゼンテーションをロードし、この新しいプレゼンテーション内をナビゲートすることができる。
【００６６】
あるいは、１つ又はそれより多くの別個のプレゼンテーションのマッピングデータを特定の識別保持デバイス上に符号化することができる。従って、１つもしくはそれより多くのプレゼンテーション内のナビゲーション、又は１つもしくは複数のプレゼンテーション間のナビゲーションは、識別保持デバイスを用いることによって、及び／又は機能保持デバイスを用いることによって達成することができる。
【００６７】
図１９は、本発明に従って、ニーモニック及びプレゼンテーションエレメント識別子をプレゼンテーションエレメントならびに可触及び可感の識別保持デバイスに関連づける方法の１つの実施の形態を概説するフローチャートである。制御はステップＳ１０００において始まる。ステップＳ２０００において、新しいプレゼンテーションが生成されているか否かを決定する。新しいプレゼンテーションが生成されている場合、制御はステップＳ４０００に移る。そうでない場合、制御はＳ３０００へ続く。ステップＳ４０００において、新しいプレゼンテーションが生成される。制御は次にステップＳ５０００へ続く。ステップＳ３０００において、所望のプレゼンテーションが入力される。制御は次にステップＳ５０００に移る。
【００６８】
ステップＳ５０００において、プレゼンテーション識別子が入力されたプレゼンテーションに割り当てられる。次に、ステップＳ６０００において、入力されたプレゼンテーション内の１つのプレゼンテーションエレメントが選択される。次にステップＳ７０００において、プレゼンテーションエレメント識別子が選択されたプレゼンテーションエレメントに割り当てられる。次に、ステップＳ８０００において、選択されたプレゼンテーションエレメントのニーモニックが選択される。制御は次にステップＳ９０００へ続く。
【００６９】
ステップＳ９０００において、可触及び可感の識別保持デバイスがニーモニックに関連づけられる。前述のように、これは、ニーモニックをプリント可能な媒体上にプリントすること、ニーモニックの表示をマイクロチップに書き込むこと、ニーモニックを用紙シート又はカードのストックにプリントすること、又はプレゼンテーションエレメントを表すニーモニックを物理的な可感識別保持デバイスに関連づけることのできるあらゆる他の方法を含むことができる。次に、ステップＳ１００００において、関連づけられた可触及び可感の識別保持デバイスが割り当てられた識別子、プレゼンテーション及びプレゼンテーションエレメントにリンクされる。次に、ステップＳ１１０００において、選択されたプレゼンテーションの別のプレゼンテーションエレメントが可触及び可感の識別保持デバイスに関連づけられる必要があるか否かを決定する。必要がある場合は、制御はステップＳ６０００に戻る。あるいは、他のエレメントが望まれない場合、制御はステップＳ１２０００へ続く。
【００７０】
ステップＳ１２０００において、ステップＳ２０００の選択されたプレゼンテーションを異なるプレゼンテーションに変える必要があるか否かを決定する。必要がある場合、制御はステップＳ２０００に戻り、そうでない場合は制御はステップＳ１３０００へ続く。ステップＳ１３０００において、識別子リンクはマッピングデータ構造内に記憶される。制御は次にステップＳ１４０００へ進み、ここで制御シーケンスが終了する。
【００７１】
図２０は、図１９のプレゼンテーション生成の１つの例示的な実施の形態をより詳しく概説するフローチャートである。制御はステップＳ４０００において始まる。次に、ステップＳ４１００において、プレゼンテーションエレメントの生成を決定する。プレゼンテーションが生成される場合、制御はステップＳ４２００へ続く。そうでない場合、制御はステップＳ４３００に移る。ステップＳ４２００において、ユーザはプレゼンテーションエレメントを生成する。制御は次にステップＳ４１００に戻る。
【００７２】
ステップＳ４３００において、定義済みのプレゼンテーションエレメントをプレゼンテーションに追加するか否かを決定する。プレゼンテーションエレメントが追加される場合、制御はステップＳ４４００へ続く。そうでない場合、制御はステップＳ４５００に移る。ステップＳ４４００において、定義済みのプレゼンテーションエレメントが入力される。制御は次にステップＳ４１００に戻る。
【００７３】
ステップＳ４５００において、プレゼンテーション内のプレゼンテーションエレメントが順序づけられる。次に、ステップＳ４６００において、プレゼンテーションがメモリに記憶される。そして、ステップＳ４７００において、制御は図１９のステップＳ５０００に戻る。
【００７４】
図２１は、図２０のプレゼンテーションエレメント生成ステップの１つの例示的な実施の形態をより詳しく概説するフローチャートである。制御はステップＳ４３００から始まってステップＳ４３０５へ続き、ここで定義済みの画像が使用されるか否かを決定する。定義済みの画像が使用される場合、制御はステップＳ４３１０へ続く。そうでない場合、制御はステップＳ４３２０に移る。
【００７５】
ステップＳ４３１０において、定義済みの画像が入力される。次に、ステップＳ４３１５において、画像がプレゼンテーションエレメントに追加される。次に、制御はステップＳ４３２０へ続く。
【００７６】
ステップＳ４３２０において、新しい画像が使用されるべきか否かを決定する。新しい画像が望まれる場合、制御はステップＳ４３２５へ続く。そうでない場合、制御はステップＳ４３３５に移る。
【００７７】
ステップＳ４３２５において、新しい画像が生成される。次に、ステップＳ４３３０において新しい画像がプレゼンテーションエレメントに追加される。次に、制御はステップＳ４３３５へ続く。
【００７８】
ステップＳ４３３５において、定義済みのテキストのストリングが使用されるか否かを決定する。定義済みのテキストのストリングが望まれる場合、制御はステップＳ４３４０へ続く。そうでない場合、制御はステップＳ４３５０に移る。
【００７９】
ステップＳ４３４０において、定義済みのテキストのストリングが入力される。次に、ステップＳ４３４５において、テキストのストリングがプレゼンテーションエレメントに追加される。そして、制御はステップＳ４３５０へ続く。
【００８０】
ステップＳ４３５０において、新しいテキストのストリングの使用を決定する。新しいテキストのストリングが望まれる場合、制御はステップＳ４３５５へ続く。そうでない場合、制御はステップＳ４３６５に移る。
【００８１】
ステップＳ４３５５において、新しいテキストのストリングが生成される。次に、ステップＳ４３６０において、テキストのストリングがプレゼンテーションエレメントに追加される。そして、制御はステップＳ４３６５へ続く。
【００８２】
ステップＳ４３６５において、定義済みのマルチメディアクリップを使用するか否かを決定する。定義済みのマルチメディアクリップが望まれる場合、制御はステップＳ４３７０へ続く。そうでない場合、制御はステップＳ４３８０に移る。
【００８３】
ステップＳ４３７０において、定義済みのマルチメディアクリップが入力されする。次に、ステップＳ４３７５において、マルチメディアクリップがプレゼンテーションエレメントに追加される。次に、制御はステップＳ４３８０へ続く。
【００８４】
ステップＳ４３８０において、新しいマルチメディアクリップが望まれるか否かを決定する。新しいマルチメディアクリップが望まれる場合、制御はステップＳ４３８５へ続く。そうでない場合、制御はステップＳ４３９５に移る。
【００８５】
ステップＳ４３８５において、新しいマルチメディアクリップが生成される。次に、ステップＳ４３９０において、マルチメディアクリップがプレゼンテーションエレメントに追加される。次に、制御はステップＳ４３９５へ続く。
【００８６】
ステップＳ４３９５において、更なるプリミティブがプレゼンテーションエレメントに追加されるか否かを決定する。更なるプリミティブが望まれる場合、制御はステップＳ４３０５に戻る。そうでない場合、制御はステップＳ４３９９へ続く。ステップＳ４３９９において、制御は図２０のステップＳ４４００に戻る。
【００８７】
図２２は、本発明のプレゼンテーションシステムの動作を示している。制御はステップＳ１００において始まる。次に、ステップＳ１１０において、どのプレゼンテーションエレメントを提示するかを決定する。次に、ステップＳ１２０において、選択されたプレゼンテーションエレメントに関連づけられたニーモニックが選択される。次にステップＳ１３０において、可触及び可感の識別デバイスが識別感知デバイスの可感スペース内に配置される。制御は次にステップＳ１４０へ続く。
【００８８】
ステップＳ１４０において、選択されたプレゼンテーションエレメントのニーモニックに関連づけられた可触及び可感の識別保持デバイスが感知される。次に、ステップＳ１５０において、感知された可触及び可感の識別保持デバイスによって識別されたプレゼンテーション及びプレゼンテーションエレメントが決定される。次にステップＳ１６０において、識別されたプレゼンテーションが利用可能であるか否かを決定する。識別されたプレゼンテーションが利用可能である場合、制御はステップＳ１８０に移る。そうでない場合、制御はステップＳ１７０へ続く。
【００８９】
ステップＳ１７０において、識別されたプレゼンテーションがロードされ、マッピング構造が更新される。制御は次にステップＳ１８０へ続く。
【００９０】
ステップＳ１８０において、決定されたプレゼンテーションエレメントを提示するために信号がプレゼンテーションコントローラに出力される。制御は次にステップＳ１９０へ続く。
【００９１】
ステップＳ１９０において、決定されたプレゼンテーションエレメントが提示される。一般に、可触及び可感の識別保持デバイスに関するあらゆる情報の、プレゼンテーションエレメント内にないという範囲は、プレゼンテーションエレメントと共に表示されないことを理解すべきである。しかし、プレゼンテーションエレメント識別子及び／又はニーモニックなどの情報も表示される例がありうることを理解すべきである。次に、ステップＳ２００において、別のプレゼンテーションエレメントが表示されるべきか否かを決定する。別のプレゼンテーションエレメントが表示されるべきでない場合、制御はステップＳ２１０へ続く。そうでない場合、即ち別のプレゼンテーションエレメントが表示されるべきである場合、制御はステップＳ１１０に戻る。
【００９２】
ステップＳ２１０において、プレゼンテーションを終了するか否かを決定する。プレゼンテーションの終了が望まれない場合、制御はステップＳ２１０に戻る。そうでない場合、制御はステップＳ２２０へ続き、ここで制御シーケンスが終了する。
【００９３】
図１９〜図２２に示されるように、プレゼンテーションシステムは、関連する可触及び可感の識別保持デバイスを用いて、単一のコンピュータ又は別個の複数のコンピュータにおいて実施されるのが好ましい。しかし、プレゼンテーションシステムは、専用コンピュータ、プログラムされたマイクロプロセッサ又はマイクロコントローラ及び周辺集積回路素子、及びＡＳＩＣ又は他の集積回路、デジタル信号プロセッサ、離散素子回路などのハードワイヤード電子回路又は論理回路、ＰＬＤ、ＰＬＡ、ＦＰＧＡ又はＰＡＬのようなプログラマブル論理デバイスなどにおいて実施することもできる。一般に、図１９〜図２２に示されるようなフローチャートを実施することができる有限状態マシンを実施することのできるデバイスは全て、プレゼンテーションシステムの実施に使用可能である。
【００９４】
リンク１０１０、２０１０及び３０１０は、ワイヤードもしくはワイヤレスリンクとすることができ、又は、接続された要素にもしくは接続された要素から電子データを供給することができるあらゆる既知の要素が可能である。
【００９５】
本発明の、物理的オブジェクトを用いてプレゼンテーションを制御するシステム及び方法は、windows 95/NTの下でランする２つのプログラムとして実施されたが、これに匹敵する作動システムを使用することができる。一方のプログラム、即ちコンバータは、図２に示される識別保持デバイス生成システムと、図１９の識別デバイス生成ステップＳ５００〜Ｓ１３０００を実施する。第２のプログラム、即ちコントローラは、図３に示されるプレゼンテーション制御システム及び図２２に示されるプレゼンテーション制御方法を実施する。プレゼンテーションを開始する前に、コンバータを使用してプレゼンテーションからカードを生成する。コントローラはプレゼンテーションの際にランする。コントローラは、プリントされたカード上のコードからのスキャナー入力を受け入れることと、プレゼンテーションソフトウェアが適切な電子スライドを表示する。コンバータは、プレゼンテーションアプリケーション、例えばマイクロソフト社（Microsoft(登録商標名))のPOWERPOINT（登録商標名）によって生成されたファイルを読み取る独立型プログラムであり、カードストックへのプリントに適切なレイアウトでプレゼンテーションの内容を含む MICROSOFT WORD（登録商標名）などの文書を生成する。各カードは１つのスライドの内容を表し、通常４つのエレメントを含む。即ち、スライド画像の小さな画像、コンバータがプレゼンテーションエレメントから抽出したスピーチメモ、プレゼンテーションファイルのシーケンスにおけるスライド番号、ならびにプレゼンテーションファイルパス名及びスライド番号を示すバーコードなどのコンピュータ読み取り可能識別コードである。コンバータは、画像がカードのストック上にきちんと読み取り可能に収まるように、これらのエレメントのサイズを直し、出力文書に配置する。多数の異なるレイアウトが利用可能である。また、コンバータはファイル名をカード識別コードと一致させてプレゼンテーションのコピーを蓄積装置に保存し、その動作をログに記録する。コンバータは、VISUAL BASICプリミティブを用いて VISUAL BASIC FOR APPLICATIONS (VBA)において実施され、POWERPOINTプレゼンテーションからエレメントを抽出し、これらをWORDにおいて操作する。コンバータがランした後、プリントされたカードを使用し、コントローラを介してプレゼンテーションを制御することができる。
【００９６】
コントローラは、クライアント−サーバ構造を有する。クライアント側は、バーコード読み取り装置からの入力を受け入れる。サーバ側はコマンドを実行してPOWERPOINTプレゼンテーションを作動させる。
【００９７】
クライアントは、例えばJAVAで実施される。クライアントは遠隔でランし、TCPネットワークインターフェースを介してサーバのPCと通信する。クライアントは、クライアントのPCのキーボードポート又はシリアル入力（RS232C)ポートに取り付けられたバーコード読み取り装置からのデータを入力する。バーコード読み取り装置からの入力には、POWERPOINTファイルのファイル名、スライド番号、又は、例えば複数のスライドを１つの複合スライドに併合する、スライドの背景カラーを変える、もしくはプレゼンテーションを停止する、といった特別な制御コマンドが含まれる。クライアントはバーコード読み取り装置からの入力をプレゼンテーション−制御コマンドに変換し、これらをサーバに送る。
【００９８】
サーバはVBA (Visual Basic for Application)で実施される。サーバはPCにおいてランし、同一のPCにおいてランするPOWERPOINTアプリケーションを制御する。サーバのPCからのビデオモニタ出力はプレゼンテーションデバイスに送られる。サーバは、クライアントからのネットワーク接続を待つ。クライアントが接続すると、クライアントはプレゼンテーション制御依頼をサーバに送る。VISUAL BASICプリミティブにより、サーバはPOWERPOINTプレゼンテーションを制御することができる。例えばサーバは、指定されたプレゼンテーションファイルをロードしたり、指定されたスライドに移動したり、次のスライド又は前のスライドに移ったり、POWERPOINTスライドショーを停止させたりなどするようにプレゼンテーションに指示することができる。さらに、バーコード読み取り装置からの入力がＵＲＬであった場合には、POWERPOINTアプリケーションを用いる代わりに、（Microsoft)の Internet Explorerアプリケーションを制御して、対応したウェブページを表示する。このように複数のプレゼンテーションアプリケーションを、表示内容に応じて切り換える。
【００９９】
従って、ユーザが電子メディアを観客に提示するのを支援する方法及び装置が本発明に従って提供されたことが明らかである。本発明はその好適な実施の形態に関連して説明されたが、多くの代替物、変更物及び変形物が当業者には明らかであることがはっきりしている。従って、本発明の出願人は、本発明の趣意及び範囲内に従うようにこれらの代替物、変更物又は変形物を全て含むものと意図する。
【図面の簡単な説明】
【図１】本発明のプレゼンテーション制御システムの第１の態様を示す機能ブロック図である。
【図２】本発明のプレゼンテーション制御システムの第２の態様を示す機能ブロック図である。
【図３】本発明のプレゼンテーション制御システムの第３の態様を示す機能ブロック図である。
【図４】第１の例示的な識別保持デバイスを示す図である。
【図５】図４に示される第１の識別保持デバイスの例示的な裏面を示す図である。
【図６】第２の例示的な識別保持デバイスを示す図である。
【図７】第３の例示的な識別保持デバイスを示す図である。
【図８】図７に示される第３の識別保持デバイスの例示的な裏面を示す図である。
【図９】第４の例示的な識別保持デバイスを示す図である。
【図１０】図９に示される第４の識別保持デバイスの例示的な裏面を示す図である。
【図１１】第５の例示的な識別保持デバイスを示す図である。
【図１２】図１１に示される第５の識別保持デバイスの例示的な裏面を示す図である。
【図１３】例示的な機能的識別保持デバイスを示す図である。
【図１４】例示的な機能的識別保持デバイスを示す図である。
【図１５】例示的な機能的識別保持デバイスを示す図である。
【図１６】例示的な機能的識別保持デバイスを示す図である。
【図１７】例示的な機能的識別保持デバイスを示す図である。
【図１８】例示的な機能的識別保持デバイスを示す図である。
【図１９】本発明に従ってニーモニックをプレゼンテーションエレメントに関連づける１つの実施の形態を概説するフローチャートである。
【図２０】本発明のプレゼンテーションを生成する１つの方法を概説するフローチャートである。
【図２１】図２０のプレゼンテーションエレメントを生成する１つの例示的な方法を概説するフローチャートである。
【図２２】本発明のプレゼンテーションシステムの動作を制御する１つの方法を概説するフローチャートである。
【符号の説明】
５    汎用コンピュータ
１００    データ入力デバイス
２００    識別保持デバイスジェネレータ
３００    プレゼンテーション表示デバイス
４００    識別感知デバイス
４１０    識別保持デバイス
１０００、２０００、３０００    プレゼンテーション制御システム
１０１０、２０１０、３０１０    リンク
１１００、２１００、３１００    コントローラ
１２００、２２００、３２００    メモリ
１２１０、２２１０、３２１０    プレゼンテーションメモリ部分
１２２０、１２３０、１２４０、１２５０、１２６０、２２２０、２２３０、２２４０、２２５０、２２６０、３２２０、３２３０、３２４０、３２５０、３２６０    プレゼンテーションエレメント
１２７０、２２７０、３２７０    プレゼンテーションエレメント識別子メモリ部分
１２７２、１２７４、１２７６、１２７８、１２８０、２２７２、２２７４、２２７６、２２７８、２２８０、３２７２、３２７４、３２７６、３２７８、３２８０    プレゼンテーションエレメント識別子
１３００、２３００、３３００    識別コントローラ
１４００、２４００、３４００    I/Oインターフェース
３５００    プレゼンテーションコントローラ
【図１】
0003951511.tif 000002
【図２】
0003951511.tif 000003
【図３】
0003951511.tif 000004
【図４】
0003951511.tif 000005
【図５】
0003951511.tif 000006
【図６】
0003951511.tif 000007
【図７】
0003951511.tif 000008
【図８】
0003951511.tif 000009
【図９】
0003951511.tif 000010
【図１０】
0003951511.tif 000011
【図１１】
0003951511.tif 000012
【図１２】
0003951511.tif 000013
【図１３】
0003951511.tif 000014
【図１４】
0003951511.tif 000015
【図１５】
0003951511.tif 000016
【図１６】
0003951511.tif 000017
【図１７】
0003951511.tif 000018
【図１８】
0003951511.tif 000019
【図１９】
0003951511.tif 000020
【図２０】
0003951511.tif 000021
【図２１】
0003951511.tif 000022
【図２２】
0003951511.tif 000023